(57)【要約】【課題】他の照明装置との連結に用いられる凸構造（突出部）の破損を抑制することができる照明装置を提供する。【解決手段】照明装置は、長尺状の照明ユニットと、照明ユニットの長手方向の一方の端部に設けられた第２の連結部２２０ａと、照明ユニット１００の長手方向の他方の端部に設けられた第２の被連結部とを備える。第２の連結部２２０ａは、照明ユニットの外方に向けて照明ユニットの長手方向に突出する突出部２２１及び突出部２２３であって並んで配置された突出部２２１及び突出部２２３と突出部２２１に設けられた爪部２２２とを有する。被連結部は、突出部２２１が挿入可能な挿入孔と、爪部が係止可能な係止穴とを有する。【選択図】図７
2019008868.tif 000002
【特許請求の範囲】
【請求項１】
光源を収納し、前記光源の光を透過する透光部を有する長尺状の照明ユニットと、
前記照明ユニットの長手方向の一方の端部に設けられた連結部と、
前記照明ユニットの長手方向の他方の端部に設けられた被連結部とを備え、
前記連結部は、前記照明ユニットの外方に向けて前記照明ユニットの長手方向に突出する第１の突出部及び第２の突出部であって並んで配置された第１の突出部及び第２の突出部と、前記第１の突出部に設けられた爪部とを有し、
前記被連結部は、前記第１の突出部が挿入可能な挿入孔と、前記爪部が係止可能な係止穴とを有する、
照明装置。
【請求項２】
前記第１の突出部は、板状であり、
前記爪部は、前記第１の突出部の一方の主面に設けられ、
前記第２の突出部は、前記第１の突出部の他方の主面と対向する、
請求項１に記載の照明装置。
【請求項３】
前記第２の突出部は、板状であり、
前記第２の突出部の主面は、前記第１の突出部の前記他方の主面と対向する、
請求項２に記載の照明装置。
【請求項４】
前記照明ユニットの長手方向からの側面視において、前記第２の突出部の幅は、前記第１の突出部の幅よりも短い、
請求項３に記載の照明装置。
【請求項５】
前記挿入孔には、前記第１の突出部に加えて前記第２の突出部が挿入可能である、
請求項１〜４のいずれか１項に記載の照明装置。
【請求項６】
さらに、前記照明ユニットは、前記光源を発光させるための電力を生成する電源を収納する、
請求項１〜５のいずれか１項に記載の照明装置。
【請求項７】
前記挿入孔は、前記照明ユニットの長手方向の側面に設けられ、
前記係止穴は、前記照明ユニットの上面に設けられている、
請求項１〜６のいずれか１項に記載の照明装置。
【請求項８】
前記照明ユニットは、前記透光部を有する長尺状の筐体と、前記筐体の長手方向の一方の端部に取り付けられた第１のエンドカバーと、前記筐体の長手方向の他方の端部に取り付けられた第２のエンドカバーとを有し、
前記連結部は、前記第１のエンドカバーに設けられ、
前記被連結部は、前記第２のエンドカバーに設けられている、
請求項１〜７のいずれか１項に記載の照明装置。
【発明の詳細な説明】
【技術分野】
【０００１】
本発明は、照明装置に関する。
【背景技術】
【０００２】
近年、ＬＥＤ（Ｌｉｇｈｔ  Ｅｍｉｔｔｉｎｇ  Ｄｉｏｄｅ）を用いた照明装置が普及している。従来、この種の照明装置として、長尺状の筐体と、筐体内に直線状に配置された複数のＬＥＤモジュールとを備える長尺状のＬＥＤ照明が知られている（例えば特許文献１）。
【０００３】
また、長尺状のＬＥＤ照明を実現するために、光源が収納された長尺状の照明ユニットを直線状に複数連結する技術も提案されている（例えば、特許文献２）。
【先行技術文献】
【特許文献】
【０００４】
【特許文献１】特開２０１２−８４３６７号公報
【特許文献２】特開２００９−９９３６３号公報
【発明の概要】
【発明が解決しようとする課題】
【０００５】
光源が収納された照明ユニットを直線状に複数連結する場合、隣り合う２つの照明ユニットの接続に凹凸構造が使用される場合がある。この場合、凸構造は、施工時に作業者によって掴まれ、破損してしまう可能性がある。
【０００６】
本発明は、他の照明装置との連結に用いられる凸構造（突出部）の破損を抑制することができる照明装置を提供する。
【課題を解決するための手段】
【０００７】
本発明に係る照明装置の一態様は、光源を収納し、前記光源の光を透過する透光部を有する長尺状の照明ユニットと、前記照明ユニットの長手方向の一方の端部に設けられた連結部と、前記照明ユニットの長手方向の他方の端部に設けられた被連結部とを備え、前記連結部は、前記照明ユニットの外方に向けて前記照明ユニットの長手方向に突出する第１の突出部及び第２の突出部であって並んで配置された第１の突出部及び第２の突出部と、前記第１の突出部に設けられた爪部とを有し、前記被連結部は、前記第１の突出部が挿入可能な挿入孔と、前記爪部が係止可能な係止穴とを有する。
【発明の効果】
【０００８】
本発明の照明装置は、他の照明装置との連結に用いられる突出部の破損を抑制することができる。
【図面の簡単な説明】
【０００９】
【図１】実施の形態に係る照明装置を第１の連結部（オスコネクタ）側から見たときの外観斜視図である。
【図２】実施の形態に係る照明装置を第１の被連結部（メスコネクタ）側から見たときの外観斜視図である。
【図３】実施の形態に係る照明装置の分解斜視図である。
【図４】実施の形態に係る照明装置の断面図である。
【図５】実施の形態に係る照明装置の一方の端部の拡大図である。
【図６】実施の形態に係る照明装置の他方の端部の拡大図である。
【図７】別の形態の第１のエンドカバーの外観斜視図である。
【図８】電源入線用の照明装置を一方の端部から見たときの斜視図である。
【図９】電源入線用の照明装置を他方の端部から見たときの斜視図である。
【図１０】実施の形態に係る２つの照明装置を連結する施工例を説明するための図である。
【図１１】ガイド治具の構造を説明するための第１の斜視図である。
【図１２】ガイド治具の構造を説明するための第２の斜視図である。
【図１３】実施の形態に係る２つの照明装置の連結状態を解除する方法を説明するための図である。
【図１４】別の形態の治具の外観斜視図である。
【図１５】別の形態の治具を用いて２つの照明ユニットの連結状態を解除する方法を説明するための図である。
【図１６】治具の取り付けを説明するための第１の図である。
【図１７】治具の取り付けを説明するための第２の図である。
【発明を実施するための形態】
【００１０】
以下、本発明の実施の形態について、図面を参照しながら説明する。なお、以下に説明する実施の形態は、いずれも本発明の好ましい一具体例を示すものである。したがって、以下の実施の形態で示される、数値、形状、材料、構成要素、構成要素の配置位置及び接続形態等は、一例であって本発明を限定する主旨ではない。よって、以下の実施の形態における構成要素のうち、本発明の最上位概念を示す独立請求項に記載されていない構成要素については、任意の構成要素として説明される。
【００１１】
各図は、模式図であり、必ずしも厳密に図示されたものではない。各図において、実質的に同一の構成に対しては同一の符号を付しており、重複する説明は省略又は簡略化される場合がある。
【００１２】
また、本明細書及び図面において、Ｘ軸、Ｙ軸及びＺ軸は、三次元直交座標系の三軸を表しており、本実施の形態では、Ｚ軸方向を鉛直方向とし、Ｚ軸に垂直な方向（ＸＹ平面に平行な方向）を水平方向としている。Ｘ軸及びＹ軸は、互いに直交し、且つ、いずれもＺ軸に直交する軸である。
【００１３】
（実施の形態）
まず、実施の形態に係る照明装置１について、図１〜図４を用いて説明する。図１は、実施の形態に係る照明装置１を第１の連結部２１０（オスコネクタ）側から見たときの外観斜視図である。図２は、同照明装置１を第１の被連結部３１０（メスコネクタ）側から見たときの外観斜視図であり、（ａ）は保護キャップ１７０を装着した状態を示しており、（ｂ）は保護キャップ１７０を外した状態を示している。図３は、同照明装置１の分解斜視図である。図４は、同照明装置１の断面図である。なお、図３において、保護キャップ１７０は省略している。
【００１４】
図１に示される照明装置１は、例えば住宅のリビング又は寝室等に設置されてコーブ照明又はコーニス照明等の間接照明として用いられたり、キッチン等に設置されてキッチン照明等として用いられたりする。なお、照明装置１は、間接照明ではなく、天井等に設置されるベースライト等の主照明として用いられていてもよい。
【００１５】
図１に示すように、照明装置１は、全体として薄型で長尺状の照明器具（スリムライン照明）であり、ライン状の照明光を発する。本実施の形態における照明装置１の全体形状は、扁平な略直方体であるが、これに限らない。
【００１６】
図１及び図２に示すように、照明装置１は、長尺状の照明ユニット１００と、照明ユニット１００の長手方向の一方の端部に設けられた第１の連結部２１０及び第２の連結部２２０と、照明ユニット１００の長手方向の他方の端部に設けられた第１の被連結部３１０及び第２の被連結部３２０と、天井又は壁等の造営材に照明ユニット１００を取り付けるための取付板４００とを備える。
【００１７】
図１〜図４に示すように、照明ユニット１００は、発光モジュール１１０と、長尺状の筐体１２０と、筐体１２０の長手方向の一方の端部に取り付けられた第１のエンドカバー１３０と、筐体１２０の長手方向の他方の端部に取り付けられた第２のエンドカバー１４０と、金属板１５０と、絶縁シート１６０とを有する。
【００１８】
照明ユニット１００は、照明装置１の光源となる発光素子１１２を収納する。本実施の形態において、照明ユニット１００は、発光素子１１２だけではなく、発光素子１１２を発光させるための電力を生成する電源を収納している。つまり、照明ユニット１００は、電源内蔵型の発光ユニットである。
【００１９】
以下、本実施の形態に係る照明装置１の各構成部材について、図１〜図４を用いて詳細に説明する。
【００２０】
［発光モジュール］
発光モジュール１１０は、照明ユニット１００の光源部の一例であり、例えば白色光を発する。本実施の形態において、発光モジュール１１０は、ＬＥＤによって構成されたＬＥＤモジュールである。なお、発光モジュール１１０の発光色は、白色光に限るものではない。
【００２１】
発光モジュール１１０は、照明ユニット１００に収納されている。具体的には、発光モジュール１１０は、筐体１２０内に収納されている。発光モジュール１１０の光は、筐体１２０の透光部１２１ａを透過し、照明光として筐体１２０の外部に放射される。
【００２２】
図３及び図４に示すように、発光モジュール１１０は、基板１１１と、発光素子１１２と、第１の接続端子１１３と、第２の接続端子１１４と、回路素子１１５とを備える。
【００２３】
基板１１１は、Ｙ軸方向を長手方向とする長尺状の板部材である。基板１１１は、例えば、樹脂基板、セラミック基板、又は、メタルベース基板等である。なお、基板１１１は、リジッド基板に限るものではなく、フレキシブル基板又はフィルム基板であってもよい。
【００２４】
基板１１１には、複数の発光素子１１２が配置されている。複数の発光素子１１２の各々は、照明装置１の光源であり、照明ユニット１００に収納されている。具体的に、発光素子１１２は、筐体１２０に収納されている。各発光素子１１２は、電源回路を構成する回路素子１１５から供給される直流電力によって発光する。
【００２５】
図３に示すように、複数の発光素子１１２は、基板１１１の長手方向に沿って基板１１１にライン状に配列されている。ライン状に配列された複数の発光素子１１２は、ライン状に光を発するライン光源として機能する。
【００２６】
本実施の形態において、各発光素子１１２は、ＬＥＤによって構成されたＬＥＤ光源である。具体的には、各発光素子１１２は、ＬＥＤチップがパッケージ化されたＳＭＤ型ＬＥＤ素子であり、凹部を有する樹脂製又はセラミック製の白色の容器と、容器の凹部の底面に一次実装された１つ以上のＬＥＤチップと、容器の凹部内に封入された封止部材とを有する。封止部材は、例えばシリコーン樹脂等の透光性樹脂材料で構成されている。封止部材は、蛍光体等の波長変換材が含有された蛍光体含有樹脂であってもよい。
【００２７】
ＬＥＤチップは、所定の直流電力により発光する半導体発光素子の一例であって、単色の可視光を発するベアチップである。ＬＥＤチップは、例えば、通電されれば青色光を発する青色ＬＥＤチップである。この場合、白色光を得るために、封止部材には、青色ＬＥＤチップからの青色光を励起光として蛍光発光するＹＡＧ（イットリウム・アルミニウム・ガーネット）等の黄色蛍光体が含有される。
【００２８】
このように、本実施の形態における発光素子１１２は、青色ＬＥＤチップと黄色蛍光体とによって構成された白色ＬＥＤ光源である。具体的には、黄色蛍光体は青色ＬＥＤチップが発した青色光の一部を吸収して励起されて黄色光を放出し、この黄色光と黄色蛍光体に吸収されなかった青色光とが混ざって白色光となる。なお、封止部材には、黄色蛍光体だけに限らず、赤色蛍光体及び緑色蛍光体が含まれていてもよい。
【００２９】
基板１１１には、第１の接続端子１１３及び第２の接続端子１１４が配置されている。第１の接続端子１１３は、基板１１１の長手方向の一方の端部に配置されており、第２の接続端子１１４は、基板１１１の長手方向の他方の端部に配置されている。第１の接続端子１１３及び第２の接続端子１１４の各々は、リード線等の電線が接続される一対のコネクタ端子であり、例えば、速結端子である。
【００３０】
第１の接続端子１１３は、発光モジュール１１０の外部から電力が入力される入力側端子である。つまり、第１の接続端子１１３は、発光モジュール１１０の外部から電力を受電する受電用端子である。第１の接続端子１１３は、リード線（不図示）等によって第１の連結部２１０に電気的に接続されており、第１の接続端子１１３には、第１の連結部２１０に入力された電力が入力される。例えば、第１の接続端子１１３には、第１の連結部２１０を介して商用電源からの交流電力が入力される。
【００３１】
第２の接続端子１１４は、発光モジュール１１０の外部に電力を出力する出力側端子である。つまり、第２の接続端子１１４は、発光モジュール１１０の外部に電力を送電する送電用端子である。第２の接続端子１１４は、リード線（不図示）等によって第１の被連結部３１０に電気的に接続されており、第２の接続端子１１４から第１の被連結部３１０を介して外部に電力が出力される。
【００３２】
第１の接続端子１１３と第２の接続端子１１４とは、送り配線（不図示）によって電気的に接続されている。送り配線は、例えば、一対の金属配線であり、基板１１１のパターン配線として形成されている。一例として、一対の送り配線は、平行に形成された２本の金属配線であり、両端が一対の第１の接続端子１１３及び一対の第２の接続端子１１４と接続されている。送り配線は、金属配線のみによって構成されており、第１の接続端子１１３と第２の接続端子１１４とは、送り配線の抵抗成分を除けば、同電位となっている。これにより、第１の接続端子１１３に入力された交流電力は、送り配線（ＡＣ送り配線）を介して、周波数及び振幅が変わることなくそのままの交流波形で第２の接続端子１１４に供給される。例えば、第１の接続端子１１３にＡＣ１００Ｖの交流電力が供給された場合、第２の接続端子１１４には、ＡＣ１００Ｖの交流電力がそのまま供給される。したがって、この場合、第２の接続端子１１４は、ＡＣ１００Ｖの交流電力を発光モジュール１１０の外部に送電する。これにより、第１の連結部２１０から第２の連結部２２０への交流電力の送電が実現される。
【００３３】
また、第１の接続端子１１３に入力された交流電力は、複数の回路素子１１５によって構成された電源回路にも供給される。例えば、第１の接続端子１１３にＡＣ１００Ｖの交流電力が供給された場合、電源回路には、ＡＣ１００Ｖの交流電力が供給される。つまり、第１の接続端子１１３は、電源回路に交流電力を供給する給電端子としても機能する。
【００３４】
このように、本実施の形態における発光モジュール１１０では、第１の接続端子１１３に交流電力が供給されると、送り配線を介して第２の接続端子１１４に交流電力が供給されるとともに、複数の回路素子１１５によって構成される電源回路にも交流電力が供給される。
【００３５】
複数の回路素子１１５は、基板１１１の長手方向に沿って配置されている。複数の回路素子１１５は、複数の発光素子１１２の素子列と並列に配列されている。つまり、複数の回路素子１１５は、複数の発光素子１１２と横並びに配列されている。
【００３６】
複数の回路素子１１５は、複数の発光素子１１２を発光させるための電力を生成する電源回路（電源）を構成する電子部品を含む。電源回路を構成する複数の回路素子１１５で生成された電力は、基板１１１形成されたパターン配線を介して複数の発光素子１１２の各々に供給される。
【００３７】
本実施の形態において、発光モジュール１１０は、ＡＣダイレクト方式で駆動されるので、第１の接続端子１１３には交流電力が供給される。この場合、電源回路を構成する複数の回路素子１１５は、第１の接続端子１１３に供給された交流電力を、発光素子１１２を発光させるための直流電力に変換する。したがって、複数の回路素子１１５には、例えば交流電圧を整流して直流の整流電圧に変換する整流素子が含まれており、複数の発光素子１１２は、この整流電圧に応じて発光する。電源回路を構成する複数の回路素子１１５は、例えば、電解コンデンサ又はセラミックコンデンサ等の容量素子、抵抗器等の抵抗素子、整流素子、ヒューズ、ノイズフィルタ、ダイオード、スイッチング素子、又は、集積回路素子等の半導体素子等である。
【００３８】
なお、複数の回路素子１１５には、電源回路を構成しないものが含まれていてもよい。例えば、複数の回路素子１１５には、発光素子１１２の発光状態を制御するための制御用回路素子又は他機器との通信を行うための通信用回路素子等が含まれていてもよい。
【００３９】
［筐体］
図１〜図４に示すように、筐体１２０は、照明ユニット１００の外郭をなす外郭筐体であり、発光モジュール１１０を収納している。具体的には、筐体１２０は、Ｙ軸方向を長手方向とする略角筒状である。
【００４０】
図３及び図４に示すように、筐体１２０は、長尺状のカバー１２１と、カバー１２１に対向する長尺状の基体１２２とを有する。カバー１２１は、発光モジュール１１０の表側（発光素子１１２側）を覆う上カバーであり、基体１２２は、発光モジュール１１０の裏側を覆う下カバーである。
【００４１】
カバー１２１は、複数の発光素子１１２を覆う透光部１２１ａと、複数の回路素子１１５を覆う遮光部１２１ｂと、筐体１２０の幅方向の外側に庇状に突出する庇部１２１ｃとを有する。透光部１２１ａ、遮光部１２１ｂ及び庇部１２１ｃは、Ｘ軸方向に並んで配置されており、各々がＹ軸方向に延在している。
【００４２】
透光部１２１ａは、発光素子１１２（光源）から出射する光を透過する。透光部１２１ａは、例えばアクリル又はポリカーボネート等の透光性樹脂材料又はガラス材料等の透光性材料によって構成されている。透光部１２１ａは、例えば、ポリカーボネート等の樹脂材料を用いた押し出し成形によって形成される。
【００４３】
透光部１２１ａは、さらに光拡散性（光散乱性）を有していてもよい。透光部１２１ａに光拡散性を持たせることで、発光素子１１２が指向性の強いＬＥＤ光源であっても、発光素子１１２の光を散乱させることができるので、複数の発光素子１１２の発光の明暗差によるつぶつぶ感（輝度むら）を抑制できる。
【００４４】
透光部１２１ａに光拡散性を持たせる場合、透光性樹脂材料に光反射微粒子等の光拡散材を分散させて透光部１２１ａを作製したり、透明部材からなる透光部１２１ａの表面（内面又は外面）に光拡散材等を含む乳白色の光拡散膜を形成したりすることで、透光部１２１ａに光拡散性を持たせることができる。あるいは、光拡散材を用いるのではなく、シボ加工等を施すことで透明部材からなる透光部１２１ａの表面に微小凹凸を形成したり、透明部材からなる透光部１２１ａの表面にドットパターンを印刷したりすることで、透光部１２１ａに光拡散性を持たせてもよい。
【００４５】
透光部１２１ａの上面は、遮光部１２１ｂの上面と略同一平面をなしている。つまり、透光部１２１ａの上面と遮光部１２１ｂの外面とは面一であり、透光部１２１ａの上面と遮光部１２１ｂの上面とは段差のない連続面となっている。これにより、薄型の筐体１２０を容易に形成することができる。
【００４６】
本実施の形態において、透光部１２１ａは、断面形状が略Ｌ字形状に形成されている。つまり、発光素子１１２の光は、筐体１２０の透光部１２１ａの上面部及び側面部の両方から出射する。
【００４７】
遮光部１２１ｂは、発光素子１１２の光を遮光する。遮光部１２１ｂは、遮光性材料によって構成されている。例えば、遮光部１２１ｂは、白色の絶縁性樹脂材料によって構成されている。したがって、遮光部１２１ｂは、可視光に対して光反射性を有する。つまり、遮光部１２１ｂは、光を反射することで遮光している。本実施の形態において、遮光部１２１ｂは、白色のポリカーボネートによって構成されている。
【００４８】
なお、遮光部１２１ｂは、樹脂材料ではなく、アルミニウム又は鉄等の金属材料によって構成されていてもよい。また、遮光部１２１ｂの材料は、光を反射することで遮光するものに限らず、光を吸収することで遮光するものであってもよい。この場合、例えば遮光部１２１ｂを黒色の絶縁性樹脂材料で構成すればよい。また、遮光部１２１ｂは、入射する光を１００％遮光する非透光部に限らず、光透過率が低くて一部光を透過するものであってもよい。
【００４９】
庇部１２１ｃは、筐体１２０の上部に設けられている。具体的には、庇部１２１ｃは、遮光部１２１ｂの上部から筐体１２０の幅方向の外側に突出するように板状に形成されている。本実施の形態において、庇部１２１ｃは、遮光部１２１ｂと同一材料であり、遮光部１２１ｂと一体で形成されている。遮光部１２１ｂ及び庇部１２１ｃは、例えば、遮光性樹脂材料を用いた押し出し成形によって形成される。
【００５０】
このように構成されるカバー１２１は、透光部１２１ａと、遮光部１２１ｂ及び庇部１２１ｃとが接合されることで一体となっている。例えば、透光部１２１ａと遮光部１２１ｂ及び庇部１２１ｃとは、２色成形等の多色成形によって一体となっていてもよいし、透光部１２１ａと遮光部１２１ｂの各々に係合する構造を設けることで一体となっていてもよいし、接着剤又はネジ等で固定することで一体となっていてもよい。本実施の形態では、カバー１２１は、２色押し出し成形によって形成されている。
【００５１】
基体１２２は、発光モジュール１１０を支持する支持部材である。基体１２２は、遮光性材料によって構成されている。例えば、基体１２２は、遮光部１２１ｂと同じ白色の絶縁性樹脂材料によって構成されているが、これに限らない。
【００５２】
基体１２２の内底面には、突条の一対の突起が形成されている。一対の突起の間には、金属板１５０が配置される。金属板１５０は、発光モジュール１１０で発生する熱を放熱するための放熱板であり、例えば、アルミニウム等の金属材料によって構成されている。金属板１５０は、発光モジュール１１０の基板１１１と基体１２２との底部との間に配置される。また、絶縁性を高めるために、基板１１１と金属板１５０との間には、例えばポリプロピレン等の絶縁性樹脂材料によって構成された絶縁シート１６０が挿入されている。なお、金属板１５０及び絶縁シート１６０は、配置しなくてもよい。
【００５３】
また、基体１２２の内側面の各々には、発光モジュール１１０の基板１１１の幅方向（Ｘ軸方向）の端部が挿入される溝部が形成されている。一対の溝部によって、基板１１１の幅方向の動きが規制される。一対の溝部は、筐体１２０の長手方向に延在しており、筐体１２０内で基板１１１をスライド移動させるときのガイドレールとして機能する。
【００５４】
カバー１２１には、筐体１２０の長手方向に延在する第１の側壁部１２１ｄが形成されている。また、基体１２２には、筐体１２０の長手方向に延在する第２の側壁部１２２ａが形成されている。カバー１２１の第１の側壁部１２１ｄ及び基体１２２の第２の側壁部１２２ａは、照明ユニット１００の隔壁を構成している。つまり、照明ユニット１００の内部領域は、隔壁を構成する第１の側壁部１２１ｄ及び第２の側壁部１２２ａによって、照明ユニット１００の幅方向に分けられて空間的に分離されている。
【００５５】
具体的には、図４に示すように、照明ユニット１００は、このような隔壁を隔てて照明ユニットの幅方向に分けられた第１のハウジング領域Ａ１と第２のハウジング領域Ａ２とを有する。第１のハウジング領域Ａ１と第２のハウジング領域Ａ２は、照明ユニット１００内の空間領域である。
【００５６】
第１のハウジング領域Ａ１には、発光素子１１２（光源）が配置されている。本実施の形態において、第１のハウジング領域Ａ１は、発光モジュール１１０が収納された筐体１２０の内部空間を構成する閉空間領域である。また、第１のハウジング領域Ａ１は、発光素子１１２及び回路素子１１５等の電気的要素を接続するための電気接続領域である。
【００５７】
具体的には、第１のハウジング領域Ａ１は、発光素子１１２が配置された光源領域ＡＬと、電源回路（電源）を構成する回路素子１１５が配置された電源領域ＡＰとを有する。光源領域ＡＬと電源領域ＡＰとは、照明ユニット１００の幅方向に並んでいる。本実施の形態において、光源領域ＡＬは、カバー１２１の透光部１２１ａで覆われている領域であり、電源領域ＡＰは、カバー１２１の遮光部１２１ｂで覆われている領域である。つまり、光源領域ＡＬと電源領域ＡＰとの境界は、カバー１２１における透光部１２１ａと遮光部１２１ｂの境界である。
【００５８】
第２のハウジング領域Ａ２には、照明装置１を天井又は壁等の造営材に取り付けるための取付部材が配置されている。具体的には、第２のハウジング領域Ａ２には、そのような取付部材として、照明装置１を造営材に固定するためのネジ等が配置されている。
【００５９】
本実施の形態において、第２のハウジング領域Ａ２は、照明ユニット１００の長手方向に交差する断面において、取付板４００の第１の板部４１０（はみ出し部４１２）と第２の板部４２０とカバー１２１（庇部１２１ｃ）と筐体１２０の側壁とで囲まれる領域である。
【００６０】
また、第２のハウジング領域Ａ２には、カバー１２１と基体１２２とを固定するためのネジ１９３のネジ頭が位置している。つまり、本実施の形態において、第２のハウジング領域Ａ２は、照明装置１を造営材に機械的に接続するための領域だけではなく、カバー１２１と基体１２２とを機械的に接続するための領域としても機能する。
【００６１】
このように、第２のハウジング領域Ａ２は、照明装置１に関する機械的な接続を行うための機械接続領域である。なお、第２のハウジング領域Ａ２は、発光素子１１２及び回路素子１１５等の電気的要素が配置されておらず、電気的要素を接続するための電気接続領域にはなっていない。
【００６２】
カバー１２１と基体１２２とをネジ１９３によって固定する場合、カバー１２１の第１の側壁部１２１ｄに形成された貫通孔１２１ｄ１と、基体１２２の第２の側壁部１２２ａに形成されたネジ孔１２２ａ１とを用いる。本実施の形態では、基体１２２の第２の側壁部１２２ａがカバー１２１の第１の側壁部１２１ｄに対して内側となるように、基体１２２の第２の側壁部１２２ａとカバー１２１の第１の側壁部１２１ｄとを重ね合わせて、カバー１２１側から、カバー１２１の貫通孔１２１ｄ１と基体１２２のネジ孔１２２ａ１とにネジ１９３を挿通し、基体１２２のネジ孔１２２ａ１にネジ１９３をねじ込む。これにより、カバー１２１と基体１２２とをネジ１９３によってねじ止めすることができる。このようなネジ１９３の取り付け作業によって、ネジ１９３のネジ頭が第２のハウジング領域Ａ２に位置することになる。
【００６３】
なお、カバー１２１の貫通孔１２１ｄ１にはネジ山が設けられていないが、基体１２２のネジ孔１２２ａ１にはネジ山が設けられている。これにより、ネジ１９３を容易にねじ止めできるとともに、第２のハウジング領域Ａ２から第１のハウジング領域Ａ１に虫や埃が侵入することを効果的に抑制できる。
【００６４】
［エンドカバー］
図１〜図３に示すように、第１のエンドカバー１３０及び第２のエンドカバー１４０は、照明ユニット１００の長手方向の端部に設けられている。具体的には、第１のエンドカバー１３０及び第２のエンドカバー１４０は、筐体１２０の長手方向の端部を覆うエンドキャップである。第１のエンドカバー１３０は、筐体１２０の長手方向の一方の端部を覆っており、第２のエンドカバー１４０は、筐体１２０の長手方向の他方の端部を覆っている。また、第１のエンドカバー１３０及び第２のエンドカバー１４０の各々は、第１のハウジング領域Ａ１及び第２のハウジング領域Ａ２の長手方向の端部を塞いでいる。
【００６５】
図３に示すように、第１のエンドカバー１３０の上部には、筐体１２０の長手方向に凹む第１の段差部１３１が設けられている。つまり、第１の段差部１３１は、照明ユニット１００の長手方向の一方の端部の上部に設けられている。
【００６６】
同様に、第２のエンドカバー１４０の上部には、筐体１２０の長手方向に凹む第２の段差部１４１が設けられている。つまり、第２の段差部１４１は、照明ユニット１００の長手方向の他方の端部の上部に設けられている。
【００６７】
第１のエンドカバー１３０の第１の段差部１３１と第２のエンドカバー１４０の第２の段差部１４１とは、照明ユニット１００の長手方向からの側面視において、少なくとも一部が重なっている。本実施の形態において、第１の段差部１３１と第２の段差部１４１とは、同じ幅を有しており、照明ユニット１００の長手方向からの側面視において、互いの幅の両端が一致している。
【００６８】
また、第１のエンドカバー１３０には、貫通孔１３２が設けられている。第１のエンドカバー１３０は、貫通孔１３２に挿通されるネジ１８１によって筐体１２０に固定される。具体的には、筐体１２０のカバー１２１の長手方向の一方の端部にネジ孔が設けられており、第１のエンドカバー１３０を筐体１２０の端部に嵌め込んで、ネジ１８１を第１のエンドカバー１３０の貫通孔１３２にＹ軸方向に挿通して筐体１２０のネジ孔にねじ込むことで第１のエンドカバー１３０を筐体１２０に固定することができる。
【００６９】
同様に、第２のエンドカバー１４０にも、貫通孔１４２が設けられている。第２のエンドカバー１４０は、貫通孔１４２に挿通されるネジ１８２によって筐体１２０に固定される。具体的には、筐体１２０のカバー１２１の長手方向の他方の端部にネジ孔が設けられており、第２のエンドカバー１４０を筐体１２０の端部に嵌め込んで、ネジ１８２を第２のエンドカバー１４０の貫通孔１４２にＹ軸方向に挿通して筐体１２０のネジ孔にねじ込むことで第２のエンドカバー１４０を筐体１２０に固定することができる。
【００７０】
なお、第１のエンドカバー１３０及び第２のエンドカバー１４０は、ネジ１８１及び１８２によって固定するのではなく、接着剤又は爪構造等によって筐体１２０に固定してもよい。
【００７１】
また、図３に示すように、第１のエンドカバー１３０は、ネジ１８１だけではなくネジ１９１によっても筐体１２０に固定されている。ネジ１９１は、筐体１２０のカバー１２１の第１の側壁部１２１ｄに形成された貫通孔をＸ軸方向に貫通し、第１のエンドカバー１３０に設けられたネジ孔にねじ込まれる。
【００７２】
同様に、第１のエンドカバー１３０は、ネジ１８２だけではなくネジ１９２によっても筐体１２０に固定されている。ネジ１９２は、筐体１２０のカバー１２１の第１の側壁部１２１ｄに形成された貫通孔をＸ軸方向に貫通し、第２のエンドカバー１４０に設けられたネジ孔にねじ込まれる。
【００７３】
このように、第１のエンドカバー１３０及び第２のエンドカバー１４０は、Ｙ軸方向にねじ込まれるネジ１８１及び１８２と、Ｘ軸方向にねじ込まれるネジ１９１及び１９２とによって筐体１２０に固定されている。つまり、第１のエンドカバー１３０及び第２のエンドカバー１４０の各々は、直交する２方向からねじ込まれた２本のネジによって筐体１２０に固定されている。これにより、第１のエンドカバー１３０及び第２のエンドカバー１４０を筐体１２０に確実に固定して筐体１２０を塞ぐことができるので、第１のハウジング領域Ａ１及び第２のハウジング領域Ａ２に虫や埃が侵入することを抑制できる。
【００７４】
このように構成される第１のエンドカバー１３０及び第２のエンドカバー１４０は、例えばポリプロピレン又はポリブチレンテレフタレート等の樹脂材料によって形成されている。なお、第１のエンドカバー１３０及び第２のエンドカバー１４０は、樹脂材料に限らず、金属材料によって形成されていてもよい。
【００７５】
第１のエンドカバー１３０には、第１の連結部２１０及び第２の連結部２２０が設けられている。本実施の形態において、第１の連結部２１０及び第２の連結部２２０は、例えば樹脂材料によって第１のエンドカバー１３０と一体に形成されているが、これに限らない。
【００７６】
また、第２のエンドカバー１４０には、第１の被連結部３１０及び第２の被連結部３２０が設けられている。本実施の形態において、第１の被連結部３１０及び第２の被連結部３２０は、例えば樹脂材料によって第２のエンドカバー１４０と一体に形成されているが、これに限らない。
【００７７】
なお、第１の連結部２１０及び第２の連結部２２０と、第１の被連結部３１０及び第２の被連結部３２０とについての詳細な構造は、後述する。
【００７８】
［取付板］
図１〜図４に示すように、取付板４００は、照明装置１を天井又は壁等の造営材に取り付けるための取付部材であり、Ｙ軸方向を長手方向とする長尺状部材である。取付板４００は、例えば、鉄又はアルミニウム等の金属材料によって構成された金属板を用いて形成される。本実施の形態において、取付板４００は、鉄を主成分とする鉄板を用いて所定形状に形成されている。
【００７９】
図３及び図４に示すように、取付板４００は、第１の板部４１０と、第２の板部４２０と、第３の板部４３０とを有する。
【００８０】
第１の板部４１０は、筐体１２０の裏面側を支持する支持部４１１と、支持部４１１の端部から筐体１２０の幅方向の外側にはみ出すはみ出し部４１２とを有する。
【００８１】
第２の板部４２０は、第１の板部４１０の幅方向の一方の端部に設けられている。具体的には、第２の板部４２０は、第１の板部４１０のはみ出し部４１２に立設している。本実施の形態において、第２の板部４２０は、第１の板部４１０の主面に対して略垂直な方向に第１の板部４１０の端部を折り曲げるようにして形成されている。
【００８２】
第３の板部４３０は、第１の板部４１０の幅方向の他方の端部に設けられている。具体的には、第３の板部４３０は、第１の板部４１０に立設している。本実施の形態において、第３の板部４３０は、第１の板部４１０の主面に対して内側斜め方向に第１の板部４１０の端部を折り曲げるようにして形成されている。
【００８３】
取付板４００は、例えば、ネジによって天井又は壁等の造営材に固定される。このため、取付板４００には、ネジが挿通される第１の貫通孔４０１及び第２の貫通孔４０２が設けられている。
【００８４】
第１の貫通孔４０１は、第１の板部４１０に設けられている。したがって、第１の板部４１０の外面を取付面として造営材に取り付ける場合、第１の貫通孔４０１にネジを挿通することで取付板４００を造営材に固定することができる。
【００８５】
第２の貫通孔４０２は、第２の板部４２０に設けられている。したがって、第２の板部４２０の外面を取付面として造営材に取り付ける場合、第２の貫通孔４０２にネジを挿通することで取付板４００を造営材に固定することができる。
【００８６】
また、取付板４００には、取付ばね４０３が設けられている。取付ばね４０３は、照明ユニット１００を取付板に保持するための金属ばねであり、取付板４００の幅方向の一方の端部に設けられている。具体的には、取付ばね４０３は、取付金具を介して第２の板部４２０の内側に設けられている。取付ばね４０３によって照明ユニット１００を取付板４００に付勢することで、照明ユニット１００を取付板４００に保持させることができる。
【００８７】
具体的には、取付板４００の第２の板部４２０に向けて照明ユニット１００を押し込むことで取付ばね４０３が押圧されて縮み、照明ユニット１００が取付板４００に嵌め込まれると、取付ばね４０３は縮んだ状態から元の状態に戻ろうとしてバネ復元力が発生する。照明ユニット１００は、取付ばね４０３のバネ復元力によって第３の板部４３０に押さえ付けられて取付板４００に保持される。なお、取付板４００に保持された状態の照明ユニット１００は、照明ユニット１００の長手方向（Ｙ軸方向）に沿ってスライド可能となっている。
【００８８】
［連結部、被連結部］
次に、第１の連結部２１０及び第２の連結部２２０と、第１の被連結部３１０及び第２の被連結部３２０とについて、図１〜図４を参照しつつ、図５及び図６を用いて詳細に説明する。図５は、実施の形態に係る照明装置１の一方の端部の拡大図であり、（ａ）は斜視図、（ｂ）は側面図である。図６は、実施の形態に係る照明装置１の他方の端部の拡大図であり、（ａ）は斜視図、（ｂ）は側面図である。
【００８９】
図５の（ａ）及び（ｂ）に示すように、第１の連結部２１０は、第１のエンドカバー１３０に設けられている。一方、図６の（ａ）及び（ｂ）に示すように、第１の被連結部３１０は、第２のエンドカバー１４０に設けられている。したがって、第１の連結部２１０と第１の被連結部３１０とは、照明ユニット１００の長手方向の反対側に設けられている。
【００９０】
第１の連結部２１０及び第１の被連結部３１０の各々は、互いに電気的接続が可能な構造を有する。本実施の形態において、第１の連結部２１０及び第１の被連結部３１０の各々は、電気的接続が可能なだけではなく、機械的接続が可能な構造を有する。
【００９１】
図５（ａ）に示すように、本実施の形態において、第１の連結部２１０は、オス型給電構造を有するオスコネクタである。一方、図６（ａ）に示すように、第１の被連結部３１０は、オスコネクタに電気的及び機械的に連結可能なメス型給電構造を有するメスコネクタである。つまり、第１の連結部２１０と第１の被連結部とは、互いに嵌合する形状を有しており、例えば２つの照明ユニット１００を連結する際に、一方の照明ユニット１００の第１の連結部２１０と他方の照明ユニット１００の第１の被連結部３１０とが嵌合される。これにより、第１の連結部２１０と第２の被連結部とが電気的及び機械的に接続される。
【００９２】
図５（ｂ）に示すように、第１の連結部２１０は、照明ユニット１００の長手方向からの側面視において、第１のハウジング領域Ａ１と重なる位置に設けられている。具体的には、第１の連結部２１０は、第１のハウジング領域Ａ１における電源領域ＡＰと重なる位置に設けられている。
【００９３】
図６（ｂ）に示すように、第１の被連結部３１０は、照明ユニット１００の長手方向からの側面視において、第１のハウジング領域Ａ１と重なる位置に設けられている。具体的には、第１の被連結部３１０は、第１のハウジング領域Ａ１における電源領域ＡＰと重なる位置に設けられている。
【００９４】
このように、第１の連結部２１０及び第１の被連結部３１０は、いずれも第１のハウジング領域Ａ１（具体的には、電源領域ＡＰ）と重なる位置に設けられている。なお、本実施の形態において、第１の連結部２１０と第１の被連結部３１０とは、照明ユニット１００の長手方向からの側面視において、丁度重なる位置に設けられている。
【００９５】
上述のように、照明ユニット１００は、例えば、第１の連結部２１０を通じて交流電力の供給を受けることで発光する。具体的には、第１の連結部２１０は、リード線等によって第１の接続端子１１３と電気的に接続されている。したがって、第１の連結部２１０で受電した電力は、第１の接続端子１１３に供給される。これにより、電源回路を構成する回路素子１１５によって発光素子１１２を発光させるための電力が生成されて、この電力が発光素子１１２に供給されて発光素子１１２が発光する。
【００９６】
また、第１の連結部２１０の反対側に設けられた第１の被連結部３１０は、リード線等によって第２の接続端子１１４と電気的に接続されている。したがって、第１の連結部２１０を介して第１の接続端子１１３に供給された交流電力は、発光モジュール１１０の送り配線によって第１の接続端子１１３から第２の接続端子１１４に送電されて、第１の被連結部３１０に供給される。
【００９７】
このように、照明ユニット１００は、第１の連結部２１０に入力された交流電力を第１の被連結部３１０に出力することができる。これにより、例えば、一の照明ユニット１００の第１の被連結部３１０に他の照明ユニット１００の第１の連結部２１０を連結した場合、一の照明ユニット１００を介して他の照明ユニット１００に交流電力を供給することができる。
【００９８】
また、図５の（ａ）及び（ｂ）に示すように、第１のエンドカバー１３０には、第１の連結部２１０の他に、第２の連結部２２０が設けられている。同様に、図６の（ａ）及び（ｂ）に示すように、第２のエンドカバー１４０には、第１の被連結部３１０の他に、第２の被連結部３２０が設けられている。
【００９９】
第２の連結部２２０及び第２の被連結部３２０の各々は、互いに機械的接続が可能な構造を有する。本実施の形態において、第２の連結部２２０及び第２の被連結部３２０の各々は、電気的接続及び機械的接続のうち機械的接続のみが可能な構造を有する。したがって、例えば、２つの照明ユニット１００を連結する際に、一方の照明ユニット１００の第２の連結部２２０と他方の照明ユニット１００の第２の被連結部３２０とが機械的に接続される。
【０１００】
具体的には、図５の（ａ）及び（ｂ）に示すように、第２の連結部２２０は、照明ユニット１００の外方に向けて照明ユニット１００の長手方向に突出する突出部２２１と、突出部２２１に設けられた爪部２２２とを有する。
【０１０１】
突出部２２１は、第１のエンドカバー１３０に設けられている。突出部２２１は、第２の被連結部３２０の挿入孔３２１に挿入可能な構造を有する凸状体である。突出部２２１は、例えば板状に形成されているが、挿入孔３２１に挿入することができる形状であれば、これに限らない。
【０１０２】
爪部２２２は、第２の被連結部３２０の係止穴３２２に係止可能な構造を有する係止爪である。爪部２２２は、例えばテーパ面を有する断面形状が台形の突条であるが、係止穴３２２に係止することができる形状であれば、これに限らない。
【０１０３】
第２の被連結部３２０は、第２の連結部２２０の突出部２２１が挿入可能な挿入孔３２１と、第２の連結部２２０の爪部２２２が係止可能な係止穴３２２とを有する。つまり、挿入孔３２１及び係止穴３２２は、例えば２つの照明ユニット１００を連結する際に、一方の照明ユニット１００の突出部２２１が他方の照明ユニット１００の挿入孔３２１に挿入されるとともに、一方の照明ユニット１００の爪部２２２が他方の照明ユニット１００の係止穴３２２に係止する構造であればよい。
【０１０４】
挿入孔３２１は、照明ユニット１００の長手方向の側面に設けられている。具体的には、挿入孔３２１は、貫通孔であり、第２のエンドカバー１４０に設けられている。挿入孔３２１は、一例として、横長矩形のスリット状の貫通孔であるが、第１のエンドカバー１３０に設けられた突出部２２１が挿入できる形状であれば、これに限らない。
【０１０５】
また、係止穴３２２は、照明ユニット１００の上面に設けられている。具体的には、係止穴３２２は、筐体１２０のカバー１２１の遮光部１２１ｂに形成されている。一例として、係止穴３２２は、矩形状の貫通孔であるが、第１のエンドカバー１３０に設けられた爪部２２２が引っ掛かることができる形状であれば、これに限らない。したがって、係止穴３２２は、貫通孔に限らず、底部を有する凹部であってもよい。ただし、係止穴３２２を貫通孔にすることで爪部２２２が露出するので、係止穴３２２に爪部２２２が係止されている場合に、爪部２２２を奥側に押し込むことで爪部２２２と係止穴３２２との係止状態を容易に解除することができる。
【０１０６】
このように構成される第２の連結部２２０は、図５（ｂ）に示すように、照明ユニット１００の長手方向からの側面視において、第２のハウジング領域Ａ２と重なる位置に設けられている。
【０１０７】
また、第２の被連結部３２０は、図６（ｂ）に示すように、照明ユニット１００の長手方向からの側面視において、第２のハウジング領域Ａ２と重なる位置に設けられている。
【０１０８】
このように、第２の連結部２２０及び第２の被連結部３２０は、いずれも第２のハウジング領域Ａ２と重なる位置に設けられている。なお、本実施の形態において、第２の連結部２２０と第２の被連結部３２０とは、照明ユニット１００の長手方向からの側面視において、丁度重なる位置に設けられている。
【０１０９】
また、照明ユニット１００の上面視において、第２の連結部２２０は、第１の連結部２１０の側方に設けられている。つまり、照明ユニット１００の上面視において、第１の連結部２１０と第２の連結部２２０とは、照明ユニット１００の幅方向に並んで設けられており、第１の連結部２１０と第２の連結部２２０とは重なっていない。これにより、第１の被連結部３１０と第２の被連結部３２０とついても、照明ユニット１００の幅方向に並んで設けられている。
【０１１０】
［第２の連結部の別の形態］
第２の連結部２２０の突出部２２１は、照明ユニット１００の外方に向けて照明ユニット１００の長手方向に突出しているために、施工時に作業者によって掴まれ、破損してしまう可能性がある。そこで、例えば、突出部２２１を分厚くすることにより、突出部２２１の強度を高め、突出部２２１の破損を抑制することができる。しかしながら、２つの照明ユニット１００を連結するとき、つまり、爪部２２２を係止穴３２２に係止させるときには、突出部２２１のたわみが利用されており、突出部２２１を分厚くすると突出部２２１がたわみにくくなるため、２つの照明ユニット１００を連結しづらくなる。
【０１１１】
そこで、第２の連結部２２０は、もう一つ突出部を有してもよい。図７は、このような別の態様の第１のエンドカバーの外観斜視図である。
【０１１２】
図７に示される第１のエンドカバー１３０ａには、第２の連結部２２０ａが設けられている。第２の連結部２２０ａは、照明ユニット１００の外方に向けて照明ユニット１００の長手方向に突出する突出部２２１及び突出部２２３、及び、突出部２２１に設けられた爪部２２２を有する。突出部２２１は、第１の突出部の一例であり、突出部２２３は、第２の突出部の一例である。突出部２２１及び突出部２２３は、上下方向に間隔をあけて並んで配置されている。
【０１１３】
突出部２２１は、上下方向を厚み方向とする板状であり、爪部２２２は、突出部２２１の上側の主面に設けられている。つまり、爪部２２２は、突出部２２１の上側に位置している。
【０１１４】
突出部２２３は、上下方向を厚み方向とし、照明ユニット１００の長手方向に沿って長い板状である。突出部２２３は、突出部２２１の下側に位置している。爪部２２２が設けられる主面と反対側の主面側に位置している。つまり、突出部２２３の上側の主面は、突出部２２１の下側の主面と対向する。
【０１１５】
照明ユニット１００の長手方向からの側面視において、突出部２２３の幅は、突出部２２１の幅よりも短い。また、照明ユニット１００の長手方向における突出部２２３の長さは、突出部２２１の長さよりも短い。したがって、上方から見た場合、突出部２２３は、突出部２２１に隠れている。そうすると、作業者が突出部２２１を掴む際には突出部２２３も同時に掴まれやすくなる。
【０１１６】
このように、作業者によって突出部２２１に加えて突出部２２３が掴まれれば、突出部２２１の破損が抑制される。突出部２２３によれば、突出部２２１の厚みを分厚くしなくても突出部２２１の破損を抑制することができる。つまり、突出部２２３によれば、突出部２２１のたわみやすさを確保しつつ、突出部２２１の破損を抑制することができる。
【０１１７】
また、２つの照明ユニット１００の連結を解除する際には、突出部２２１（爪部２２２）が治具などによって下側（奥側）に押し込まれる。突出部２２３は、突出部２２１が下側に押し込まれる場合に支持部材として機能し、２つの照明ユニット１００の連結解除時に突出部２２１の破損及び突出部２２１の変形を抑制することができる。
【０１１８】
なお、一方の照明ユニット１００の突出部２２３は、例えば、他方の照明ユニット１００の第２のエンドカバー１４０に設けられた挿入孔３２１に挿入される。これにより、２つの照明ユニット１００の連結時に一方の照明ユニット１００の突出部２２３が、他方の照明ユニット１００に干渉することが抑制される。なお、突出部２２３は、第２のエンドカバー１４０に設けられた、挿入孔３２１とは別の挿入孔に挿入されてもよい。
【０１１９】
［照明装置の施工例］
次に、照明装置１の施工例について説明する。本実施の形態では、図１に示される照明装置１と、図８及び図９に示される照明装置２とを連結する場合について説明する。具体的には、図８及び図９に示される照明装置２は、電源入線用の照明器具である。この電源入線用の照明装置２に、図１に示される照明装置１を連結用の照明器具として連結する。
【０１２０】
まず、電源入線用の照明装置２について、図８及び図９を用いて説明する。図８及び図９は、電源入線用の照明装置２の斜視図である。
【０１２１】
照明装置２は、照明ユニット１００Ａと、照明ユニット１００Ａの長手方向の一方の端部に設けられた端子ユニット５００と、照明ユニット１００の長手方向の他方の端部に設けられた第１の被連結部３１０及び第２の被連結部３２０と、取付板４００とを備える。
【０１２２】
照明ユニット１００Ａは、第１の連結部２１０及び第１の被連結部３１０を有していない点で、上記実施の形態における照明装置１の照明ユニット１００と異なる。それ以外は、照明ユニット１００Ａは、上記照明ユニット１００と同様の構成である。
【０１２３】
また、端子ユニット５００は、端子台５１０と、端子台５１０を覆うカバー５２０と、スイッチ５３０とを有する。端子台５１０は、商用電源等の外部電源と接続されたＶＶＦケーブル等の電線３が接続されている。本実施の形態では、端子台５１０には、交流電力が投入される。スイッチ５３０は、端子台５１０に投入される電力のオンオフを切り替える。つまり、スイッチ５３０を操作することで、端子台５１０から照明ユニット１００Ａに供給する電力のオンオフを切り替えることができる。
【０１２４】
次に、図１０を用いて、図１に示される連結用の照明装置１と、図８及び図９に示される電源入線用の照明装置２とを連結する具体的な施工例を説明する。図１０は、実施の形態に係る２つの照明装置を連結する施工例を説明するための図である。
【０１２５】
まず、図１０（ａ）に示すように、２つの取付板４００を直線状に並べて造営材に固定する。この場合、取付板４００の第１の貫通孔４０１又は第２の貫通孔４０２に木ネジ等のネジを挿通して取付板４００を天井又は壁等の造営材に固定する。
【０１２６】
次に、図１０（ｂ）に示すように、２つの取付板４００の一方に、端子台５１０が取り付けられた照明ユニット１００Ａを取り付けて、照明ユニット１００Ａを取付板４００に保持させる。具体的には、照明ユニット１００Ａの側面に取り付けられたＬ字金具を取付板４００の取付ばねに引っ掛けるようにして照明ユニット１００Ａを回動させながら取付ばねに押し込む。これにより、照明ユニット１００Ａを取付板４００に保持させることができる。
【０１２７】
次に、図１０（ｃ）に示すように、端子台５１０に電線３を接続して、端子台５１０にカバー５２０を取り付ける。また、２つの取付板４００の他方に、照明ユニット１００を取り付けて、照明ユニット１００Ａと同様の方法で、照明ユニット１００を取付板４００に保持させる。具体的には、照明ユニット１００の側面に取り付けられたＬ字金具を取付板４００の取付ばねに引っ掛けるようにして照明ユニット１００を回動させながら取付ばねに押し込む。
【０１２８】
そして、図１０（ｃ）の矢印に示す方向に、取付板４００に保持された状態の照明ユニット１００をスライドさせて、図１０（ｄ）に示すように、照明ユニット１００を照明ユニット１００Ａに連結する。
【０１２９】
具体的には、照明ユニット１００の第１の連結部２１０（オスコネクタ）を照明ユニット１００Ａの第１の被連結部３１０（メスコネクタ）に連結するとともに、照明ユニット１００の第２の連結部２２０を照明ユニット１００Ａの第２の被連結部３２０に連結する。
【０１３０】
このように、第１の連結部２１０と第１の被連結部３１０とが連結されることで、照明ユニット１００と照明ユニット１００Ａとが電気的に接続される。これにより、端子台５１０に投入された電力を、照明ユニット１００Ａを介して照明ユニット１００に供給することができる。
【０１３１】
また、第２の連結部２２０と第２の被連結部３２０とが連結されることで、照明ユニット１００と照明ユニット１００Ａとが機械的に接続される。具体的には、照明ユニット１００における第２の連結部２２０の突出部２２１が照明ユニット１００Ａにおける第２の被連結部３２０の挿入孔３２１に挿入されて、図１０（ｄ）に示すように、照明ユニット１００における第２の連結部２２０の爪部２２２が照明ユニット１００Ａにおける第２の被連結部３２０の係止穴３２２にスナップインで係止する。これにより、照明ユニット１００と照明ユニット１００Ａとは、引き離すことができない状態で互いに連結されて固定される。
【０１３２】
以上のようにして、電源入線用の照明装置２と連結用の照明装置１とを連結することができる。つまり、電源入線用の照明装置２と連結用の照明装置１とを電気的及び機械的に接続することができる。
【０１３３】
ところで、図１０（ａ）に示すように２つの取付板４００を直線状に並べて造営材に固定する場合、目視では直線性を確保することが難しい。そこで、例えば、図１１及び図１２に示されるようなガイド治具６００が用いられてもよい。図１１及び図１２は、ガイド治具６００の構造を説明するための斜視図である。
【０１３４】
ガイド治具６００は、２つの取付板４００を造営材に固定する際に、２つの取付板４００の第２の板部４２０及び２つの取付板４００の第３の板部４３０の間に嵌め込まれる。このとき、ガイド治具６００は、一方の取付板４００の端部と、他方の取付板４００の端部の境界部分に配置される。
【０１３５】
作業者は、ガイド治具６００がこのように嵌め込まれた状態で２つの取付板４００のそれぞれを造営材にネジで固定する。これにより、２つの取付板４００が、直線性が確保された状態で造営材に固定される。ガイド治具６００は、２つの取付板４００が固定された後、取付板４００から取り外される。照明ユニット１００Ａ及び照明ユニット１００のそれぞれは、ガイド治具６００が取り外された状態の取付板４００に取り付けられる。
【０１３６】
ガイド治具６００は、例えば、ＡＳＡ樹脂またはＡＢＳ樹脂などの樹脂材料によって形成される。ガイド治具６００は、具体的には、ベース部６１０と、ベース部６１０に立設したガイド壁６２０とを備える。
【０１３７】
ベース部６１０は、第１の板部４１０と対向する。ベース部６１０は、基本的に平板状であるが、湾曲部６３０を含む。湾曲部６３０は、ベース部６１０を第１の板部４１０側から見た場合に第１の板部４１０の長手方向に延びる溝を形成する。この溝の断面形状は、例えば、Ｕ字状である。
【０１３８】
このような湾曲部６３０は、ガイド治具６００に弾性を付与する。湾曲部６３０は、例えば、ガイド治具６００を取付板４００に嵌め込む際に、ガイド治具６００を第１の板部４１０の短手方向にたわませることができる。
【０１３９】
ガイド壁６２０は、２つの取付板４００を造営材に直線状に並べて固定するために、一方の取付板４００の第２の板部４２０及び他方の取付板４００の第２の板部４２０に内側から同時に接触する。ガイド壁６２０は、基本的には平板状であるが、第３の板部４３０側に凹んだ凹部６４０を有する。凹部６４０は、ガイド治具６００を取付板４００から取り外す際に、作業者がガイド治具６００を把持するためのスペースを形成する。作業者は、例えば、凹部６４０によって形成されたスペースに指を挿入してガイド治具６００を把持することができる。
【０１４０】
以上のように、ガイド治具６００によれば、作業者は、２つの取付板４００を直線性が確保された状態で造営材に固定することができる。
【０１４１】
［照明装置の連結状態の解除例］
なお、照明ユニット１００と照明ユニット１００Ａとの連結状態を解除する場合は、図１３に示すように、爪部２２２を治具４等によって奥側（照明ユニット１００の高さ方向向）に押し込んで爪部２２２を係止穴３２２から外すとともに、照明ユニット１００Ａの第２の段差部１４１と照明ユニット１００の第１の段差部１３１との合わせ部分の隙間にマイナスドライバー５等を挿入して回転させて照明ユニット１００Ａと照明ユニット１００とを引き離すことで、照明ユニット１００Ａと照明ユニット１００との連結状態を解除することができる。
【０１４２】
このように、本実施の形態では、第１の連結部２１０と第１の被連結部３１０との連結位置（連結解除位置）と、第２の連結部２２０と第２の被連結部３２０との連結位置（連結解除位置）とを異ならせているので、オスコネクタである第１の連結部２１０に不要な応力をかけることなく、照明ユニット１００Ａと照明ユニット１００とを分離させることができる。
【０１４３】
また、本実施の形態では、照明ユニット１００Ａと照明ユニット１００との連結状態を解除する際に、爪部２２２及び係止穴３２２の係止状態を解除した上で、照明ユニット１００Ａと照明ユニット１００とを引き離している。つまり、２か所の作業によって連結状態を解除している。したがって、照明ユニット１００と照明ユニット１００Ａとの連結状態を解除するには、両手の作業が必要となる。
【０１４４】
このように、あえて両手での作業を促すことにより、照明ユニット１００Ａと照明ユニット１００とが不意に外れてしまうことをなくすことができる。例えば、照明ユニット１００Ａと照明ユニット１００との連結状態を解除するつもりがないときに爪部２２２を押し込んでしまっても、爪部２２２を押し込んでだけでは照明ユニット１００Ａと照明ユニット１００との連結状態は解除されない。このように、本実施の形態では、一旦連結した照明ユニット１００Ａと照明ユニット１００とを、一般ユーザによって簡単に取り外すことができないようにしている。
【０１４５】
ところで、照明ユニット１００と照明ユニット１００Ａとの連結状態を解除するためには、治具４のように専用の治具が用いられるとよい。専用の治具の形態は、治具４のような形態に限定されず、例えば、図１４及び図１５に示されるような形態であってもよい。図１４は、別の形態の治具の外観斜視図である。図１５は、別の形態の治具を用いて２つの照明ユニットの連結状態を解除する方法を説明するための図である。
【０１４６】
図１４及び図１５に示される治具５４０は、爪部２２２が係止穴３２２に係止しているときに、爪部２２２を押圧するための治具である。治具５４０は、ポリプロピレン又はポリブチレンテレフタレート等の樹脂材料によって形成されている。治具５４０は、具体的には、治具本体５４１と、凸部５４２と、２つの傾斜リブ５４４とを有する。
【０１４７】
治具本体５４１は、治具５４０のうち作業者に保持される（つままれる）部分である。治具本体５４１は、断面Ｌ字状であり、頂部（一方の端部）よりも底部（他方の端部）が大きい形状を有する。治具本体５４１の底面５４３には、凸部５４２が形成されている。
【０１４８】
凸部５４２は、治具本体５４１から突出した略直方体状の凸部であり、爪部２２２の押圧に用いられる。係止穴３２２に係止した爪部２２２を奥側に押し込むために、凸部５４２の大きさは、係止穴３２２の大きさよりもわずかに小さい。
【０１４９】
凸部４４２によって爪部２２２が奥側に押し込まれるときに、凸部５４２の周辺に位置する底面５４３は、係止穴３２２を形成する縁部（照明ユニット１００の外表面）に当接することにより、凸部４４２による爪部２２２の押圧量を規制する規制面として機能する。底面５４３によれば、爪部２２２が必要以上に押し込まれて破損してしまうことが抑制される。
【０１５０】
傾斜リブ５４４は、治具本体５４１に立設し、治具本体５４１の長手方向に沿って延びるリブ構造であり、治具本体５４１の側面に、治具本体５４１の長手方向と交差する方向に２つ並んで配置されている。２つの傾斜リブ５４４のそれぞれは、頂部側の高さが底部側の高さよりも低くなるように直線的に傾斜している。このような傾斜リブ５４４は、治具５４０を照明装置２内に保持する（取り付ける）ために用いられる。図１６及び図１７は、治具５４０の取り付けを説明するための図である。
【０１５１】
図１６及び図１７に示されるように、治具５４０は、例えば、照明装置２のうち端子ユニット５００の内部に取り付けられる。言い換えれば、治具５４０は、カバー５２０によって覆われた空間内に保持される。なお、図１６及び図１７では、端子ユニット５００の内部構造を示すために、カバー５２０の図示が省略されている。
【０１５２】
治具５４０は、端子ユニット５００内の、保持部５５０と底板５６０との間の隙間（空間）に挿入される。保持部５５０は、例えば、底板５６０の一部が折り曲げられることによって形成される。治具５４０は、傾斜リブ５４４の高さの低い側が高さの高い側よりも先に隙間に入るように挿入される。これにより、保持部５５０と底板５６０との間の隙間に嵌まり、保持部５５０は、当該保持部５５０に傾斜リブ５４４が当接した状態で治具５４０を挟持することができる。
【０１５３】
このように、照明装置２に治具５４０が同梱されれば、２つの照明ユニットの連結状態を解除する際に工具を準備する必要がなくなる。また、照明装置２内に治具５４０が保持されることで、治具５４０の紛失が抑制される。
【０１５４】
なお、治具５４０は、専用の治具の一例であり、保持部５５０は、専用の治具の保持構造の一例である。専用の治具は、爪部２２２を押圧できるのであればその他の構成であってもよい。保持構造は、その他の構造体であってもよい。また、専用の治具が端子ユニット５００内に保持されることは必須ではなく、専用の治具は、照明ユニット１００内に保持されてもよい。
【０１５５】
［作用効果等］
以上、本実施の形態に係る照明装置１は、図５及び図６に示すように、長尺状の照明ユニット１００と、照明ユニット１００の長手方向の一方の端部に設けられた第１の連結部２１０及び第２の連結部２２０と、照明ユニット１００の長手方向の他方の端部に設けられた第１の被連結部３１０及び第２の被連結部３２０とを備える。照明ユニット１００は、隔壁を隔てて照明ユニット１００の幅方向に分けられた第１のハウジング領域Ａ１と第２のハウジング領域Ａ２とを有し、第１のハウジング領域Ａ１には、発光素子１１２が配置されている。そして、第１の連結部２１０及び第１の被連結部３１０の各々は、互いに電気的接続が可能な構造を有し、かつ、照明ユニット１００の長手方向からの側面視において、第１のハウジング領域Ａ１と重なる位置に設けられている。一方、第１の被連結部３１０及び第２の被連結部３２０は、互いに機械的接続が可能な構造を有し、かつ、照明ユニット１００の長手方向からの側面視において、第２のハウジング領域Ａ２と重なる位置に設けられている。
【０１５６】
このように、本実施の形態に係る照明装置１では、電気的接続が可能な構造を有する第１の連結部２１０及び第１の被連結部３１０が、発光素子１１２が配置された第１のハウジング領域Ａ１と重なる位置に設けられているとともに、機械的接続が可能な構造を有する第２の連結部２２０及び第２の被連結部３２０が、隔壁を介して第１のハウジング領域Ａ１と隔てられた第２のハウジング領域Ａ２と重なる位置に設けられている。つまり、電気的接続が可能な構造を有する第１の連結部２１０及び第１の被連結部３１０と、機械的接続が可能な構造を有する第２の連結部２２０及び第２の被連結部３２０とが分離して設けられており、照明ユニット１００を他の照明ユニットに連結する際における電気的な接続をするための部分と機械的な接続をするための部分とが異なる位置に設けられている。
【０１５７】
これにより、第２のハウジング領域Ａ２には発光素子１１２及び回路素子１１５等の電気的要素が配置されていないので、第２のハウジング領域Ａ２に虫や埃が侵入したとしても、虫や埃によって照明ユニット１００内の配線等の導電部分がショートしたり回路素子１１５が劣化したりすることを抑制できるとともに、侵入した虫の死骸によって照明ユニット１００の見栄えが悪くなることを抑制できる。
【０１５８】
また、仮に第２のハウジング領域Ａ２に虫や埃が侵入したとしても、第１のハウジング領域Ａ１と第２のハウジング領域Ａ２とは隔壁によって分離されているので、第２のハウジング領域Ａ２から第１のハウジング領域Ａ１に虫や埃が侵入することを抑制できる。
【０１５９】
以上、本実施の形態における照明装置１によれば、例えば、第１の連結部２１０及び第２の連結部２２０と第１の被連結部３１０及び第２の被連結部３２０とのうちの少なくとも一方を有する他の照明ユニットに、上記実施の形態における照明ユニット１００を連結する際に、発光素子１１２が配置された第１のハウジング領域Ａ１内に虫や埃が侵入することを抑制しつつ、照明ユニット１００と他の照明ユニットとの電気的及び機械的な接続を簡単に行うことができる。
【０１６０】
また、本実施の形態における照明装置１において、照明ユニット１００の上面視において、第１の連結部２１０と第２の連結部２２０とは、照明ユニット１００の幅方向に並んで設けられている。
【０１６１】
これにより、第１の連結部２１０と第２の連結部２２０との物理的な干渉を回避できるので、照明ユニット１００を他の照明ユニットに連結する際に、照明ユニット１００の第１の連結部２１０と他の照明ユニットの第１の被連結部３１０との電気的な接続を容易に行うことができるとともに、照明ユニット１００の第２の連結部２２０と他の照明ユニットの第２の被連結部３２０との機械的な接続を容易に行うことができる。
【０１６２】
しかも、第１の連結部２１０と第２の連結部２２０とを照明ユニット１００の幅方向に並んでいることで、照明ユニット１００の高さを低くすることができる。これにより、薄型の照明装置１を実現することができる。
【０１６３】
また、本実施の形態における照明装置１において、照明ユニット１００は、発光素子１１２を発光させるための電力を生成する電源を収納しており、第１のハウジング領域Ａ１における光源領域ＡＬと電源領域ＡＰとは、照明ユニット１００の幅方向に並んで位置している。そして、第１の連結部２１０及び第１の被連結部３１０は、照明ユニット１００の長手方向からの側面視において、電源領域ＡＰに重なる位置に設けられている。
【０１６４】
これにより、照明ユニット１００を他の照明ユニットに連結する際に、照明ユニット１００の第１の連結部２１０と他の照明ユニットの第１の被連結部３１０との電気的な接続を行ったときに、第１の連結部２１０及び第１の被連結部３１０と照明ユニット１００内の電源との電気的な接続を容易に行うことができる。
【０１６５】
また、本実施の形態における照明装置１において、第２の連結部２２０は、照明ユニット１００の外方に向けて照明ユニット１００の長手方向に突出する突出部２２１と、突出部２２１に設けられた爪部２２２とを有しており、第２の被連結部３２０は、突出部２２１が挿入可能な挿入孔３２１と、爪部２２２が係止可能な係止穴３２２とを有する。
【０１６６】
これにより、照明ユニット１００を他の照明ユニットに連結する際に、照明ユニット１００の第２の連結部２２０と他の照明ユニットの第２の被連結部３２０との機械的な接続を容易且つ確実に行うことができる。したがって、照明ユニット１００と他の照明ユニットとを容易に連結できるとともに、照明ユニット１００と他の照明ユニットとが簡単に引き離されないように確実に固定することができる。
【０１６７】
さらに、本実施の形態における照明装置１において、挿入孔３２１は、照明ユニット１００の長手方向の側面に設けられており、係止穴３２２は、照明ユニット１００の上面に設けられている。
【０１６８】
これにより、照明ユニット１００の第２の連結部２２０と他の照明ユニットの第２の被連結部３２０との機械的な接続を確実に行うことができるだけではなく、係止穴３２２が照明ユニット１００の上面に設けられているので、照明ユニット１００と他の照明ユニットとの連結状態を容易に解除することができる。つまり、照明ユニット１００と他の照明ユニットとの連結及び分離を容易に行うことができる。
【０１６９】
また、本実施の形態における照明装置１において、第１の連結部２１０は、オスコネクタであり、第１の被連結部３１０は、そのオスコネクタに電気的及び機械的に連結可能な構造を有するメスコネクタである。
【０１７０】
これにより、照明ユニット１００を他の照明ユニットに連結する際に、照明ユニット１００の第１の連結部２１０と他の照明ユニットの第１の被連結部３１０とを電気的に接続すると同時に機械的にも接続することができる。したがって、より確実に照明ユニット１００と他の照明ユニットとを連結固定することができる。
【０１７１】
また、本実施の形態における照明装置１において、照明ユニット１００の長手方向の一方の端部の上部には、当該長手方向に凹む第１の段差部１３１が設けられ、照明ユニット１００の長手方向の他方の端部の上部には、当該長手方向に凹む第２の段差部１４１が設けられている。そして、照明ユニット１００の長手方向からの側面視において、第１の段差部１３１と第２の段差部１４１とは、少なくとも一部が重なっている。
【０１７２】
これにより、照明ユニット１００と他の照明ユニットとを連結したときに、照明ユニット１００と他の照明ユニットとの連結部分に、照明ユニット１００の第１の段差部１３１（又は第２の段差部１４１）と他の照明ユニットの第２の段差部１４１（又は第１の段差部１３１）とで隙間が形成される。これにより、この隙間を利用して照明ユニット１００と他の照明ユニットとの連結を解除することができるので、照明ユニット１００と他の照明ユニットとを容易に分離することができる。
【０１７３】
また、本実施の形態における照明装置１において、照明ユニット１００は、長尺状の筐体１２０と、筐体１２０の長手方向の一方の端部に取り付けられた第１のエンドカバー１３０と、筐体１２０の長手方向の他方の端部に取り付けられた第２のエンドカバー１４０とを有する。そして、第１の連結部２１０と第２の連結部２２０とは、第１のエンドカバー１３０に設けられている。
【０１７４】
これにより、第１の連結部２１０及び第２の連結部２２０を容易に形成することができるとともに、第１のエンドカバー１３０を筐体１２０に取り付けるだけで、第１の連結部２１０及び第２の連結部２２０を照明ユニット１００に設けることができる。
【０１７５】
さらに、本実施の形態における照明装置１において、第１のエンドカバー１３０及び第２のエンドカバー１４０の各々は、第１のハウジング領域Ａ１及び第２のハウジング領域Ａ２の長手方向の端部を塞いでいる。
【０１７６】
これにより、第１のハウジング領域Ａ１及び第２のハウジング領域Ａ２に虫や埃が侵入することを抑制することができる。
【０１７７】
また、第１のハウジング領域Ａ１は、筐体１２０で囲まれる空間であるので、第１のハウジング領域Ａ１に虫や埃が侵入することを抑制することができる。
【０１７８】
さらに、本実施の形態における照明装置１において、照明装置１を造営材に取り付けるための取付板４００を備えている。そして、筐体１２０の上部には、筐体１２０の幅方向の外側に庇状に突出する庇部１２１ｃが設けられ、取付板４００は、筐体１２０の裏面側を支持する支持部４１１及び筐体１２０の幅方向の外側にはみ出すはみ出し部４１２を有する第１の板部４１０と、はみ出し部４１２に立設する第２の板部４２０とを有する。そして、照明ユニット１００の長手方向に交差する断面において、第２のハウジング領域Ａ２は、はみ出し部４１２と第２の板部４２０と庇部１２１ｃと筐体１２０の側壁とで囲まれる領域である。
【０１７９】
これにより、断面視における第２のハウジング領域Ａ２の上下左右を囲んで閉じた空間にすることができるので、第２のハウジング領域Ａ２に虫や埃が侵入することを抑制できる。したがって、第２のハウジング領域Ａ２から第１のハウジング領域Ａ１に虫や埃が侵入することを抑制できる。
【０１８０】
さらに、本実施の形態における照明装置１において、筐体１２０は、透光部１２１ａ及び遮光部１２１ｂを有する長尺状のカバー１２１と、カバー１２１に対向する長尺状の基体１２２とを有している。そして、第２のハウジング領域Ａ２には、カバー１２１と基体１２２とを固定するためのネジ１９３のネジ頭が位置している。
【０１８１】
第２のハウジング領域Ａ２を取付作業領域として用いると、第２のハウジング領域Ａ２には虫や埃が侵入してくるが、上述のように、第２のハウジング領域Ａ２に虫や埃が侵入したとしても、隔壁によって第２のハウジング領域Ａ２から第１のハウジング領域Ａ１に虫や埃が侵入することを抑制できる。つまり、第２のハウジング領域Ａ２は、虫や埃の侵入を許容することができる。これにより、第２のハウジング領域Ａ２を取付接続領域（機械接続領域）として利用して、ネジ１９３によってカバー１２１と基体１２２とをねじ止めすることができる。
【０１８２】
また、本実施の形態における照明装置１において、第２のハウジング領域Ａ２には、照明装置１を造営材に取り付けるための取付部材が配置されている。
【０１８３】
これにより、虫や埃の侵入を許容することができる第２のハウジング領域Ａ２を取付部材による取付作業領域（機械接続領域）として利用することができる。
【０１８４】
［作用効果等２］
照明装置１は、第１のエンドカバー１３０に代えて図７に示される第１のエンドカバー１３０ａを備えてもよい。この場合、照明装置１は、発光素子１１２を収納し、発光素子１１２の光を透過する透光部１２１ａを有する長尺状の照明ユニット１００と、照明ユニット１００の長手方向の一方の端部に設けられた第２の連結部２２０ａと、照明ユニット１００の長手方向の他方の端部に設けられた第２の被連結部３２０とを備える。第２の連結部２２０ａは、照明ユニット１００の外方に向けて照明ユニット１００の長手方向に突出する突出部２２１及び突出部２２３であって並んで配置された突出部２２１及び突出部２２３と突出部２２１に設けられた爪部２２２とを有する。第２の被連結部３２０は、突出部２２１が挿入可能な挿入孔３２１と、爪部２２２が係止可能な係止穴３２２とを有する。発光素子１１２は、光源の一例であり、突出部２２１は、第１の突出部の一例であり、突出部２２３は、第２の突出部の一例である。
【０１８５】
これにより、作業者によって突出部２２１に加えて突出部２２３が掴まれれば、突出部２２１の破損が抑制される。突出部２２３によれば、突出部２２１の厚みを分厚くしなくても突出部２２１の破損を抑制することができる。つまり、突出部２２３によれば、突出部２２１のたわみやすさを確保しつつ、突出部２２１の破損を抑制することができる。
【０１８６】
また、突出部２２１は、板状であってもよい。爪部２２２は、突出部２２１の一方の主面に設けられ、突出部２２３は、突出部２２１の他方の主面と対向してもよい。
【０１８７】
これにより、突出部２２３は、突出部２２１が爪部２２２と反対側に押し込まれるとき（２つの照明ユニット１００の連結解除時）に支持部材として機能し、突出部２２１の破損及び突出部２２１の変形を抑制することができる。
【０１８８】
また、突出部２２３は、板状であり、突出部２２３の主面は、突出部２２１の他方の主面と対向してもよい。
【０１８９】
これにより、板状の突出部２２３によって、突出部２２１のたわみやすさを確保しつつ、突出部２２１の破損を抑制することができる。
【０１９０】
また、照明ユニット１００の長手方向からの側面視において、突出部２２３の幅は、突出部２２１の幅よりも短くてもよい。
【０１９１】
これにより、突出部２２３が見えにくくなるため、作業者が突出部２２１を掴む際には突出部２２３も同時に掴まれやすくなる。作業者によって突出部２２１に加えて突出部２２３が掴まれれば、突出部２２１の破損が抑制される。
【０１９２】
また、挿入孔３２１には、突出部２２１に加えて突出部２２３が挿入可能であってもよい。
【０１９３】
これにより、照明ユニット１００が他の照明ユニットと連結されたときに、突出部２２３が他の照明ユニットの挿入孔３２１に挿入されるため、突出部２２３が他の照明ユニットに干渉することが抑制される。
【０１９４】
また、さらに、照明ユニット１００は、発光素子１１２を発光させるための電力を生成する電源を収納してもよい。
【０１９５】
これにより、照明ユニット１００は、発光素子１１２を発光させるための電力を生成することができる。
【０１９６】
また、挿入孔３２１は、照明ユニット１００の長手方向の側面に設けられ、係止穴３２２は、照明ユニット１００の上面に設けられていてもよい。
【０１９７】
これにより、照明ユニット１００の第２の連結部２２０ａと他の照明ユニットの第２の被連結部３２０との機械的な接続を確実に行うことができるだけではなく、係止穴３２２が照明ユニット１００の上面に設けられているので、照明ユニット１００と他の照明ユニットとの連結状態を容易に解除することができる。つまり、照明ユニット１００と他の照明ユニットとの連結及び分離を容易に行うことができる。
【０１９８】
また、照明ユニット１００は、透光部１２１ａを有する長尺状の筐体１２０と、筐体１２０の長手方向の一方の端部に取り付けられた第１のエンドカバー１３０ａと、筐体１２０の長手方向の他方の端部に取り付けられた第２のエンドカバー１４０とを有してもよい。第２の連結部２２０ａは、第１のエンドカバー１３０ａに設けられ、第２の被連結部３２０は、第２のエンドカバー１４０に設けられていてもよい。
【０１９９】
これにより、第２の連結部２２０ａを容易に形成することができるとともに、第１のエンドカバー１３０ａを筐体１２０に取り付けるだけで、第２の連結部２２０ａを照明ユニット１００に設けることができる。
【０２００】
［作用効果等３］
また、照明装置２は、図１４〜図１７に示されるような治具５４０を備えてもよい。このような照明装置２は、発光素子１１２を収納し、発光素子１１２の光を透過する透光部１２１ａを有する長尺状の照明ユニット１００と、照明ユニット１００の長手方向の一方の端部に設けられた第２の連結部２２０であって、他の照明ユニットの長手方向の端部に設けられた第２の被連結部３２０と機械的に連結される第２の連結部２２０と、第２の連結部２２０及び第２の被連結部３２０の一方が有する爪部２２２が第２の連結部２２０及び第２の被連結部３２０の他方が有する係止穴３２２に係止しているときに、爪部２２２を押圧するための治具５４０と、治具５４０を保持する保持部５５０とを備える。発光素子１１２は、光源の一例である。
【０２０１】
このように、照明装置２に治具５４０が同梱されれば、２つの照明ユニットの連結状態を解除する際に工具を準備する必要がなくなる。また、照明装置２内に治具５４０が保持されることで、治具５４０の紛失が抑制される。
【０２０２】
また、治具５４０は、治具本体５４１と、治具本体５４１から突出した、爪部２２２を押圧するための凸部５４２とを有してもよい。治具本体５４１は、係止穴３２２を形成する縁部に当接することにより、凸部５４２による爪部２２２の押圧量を規制する規制面を凸部５４２の周辺に有する。規制面は、上記実施の形態では、底面５４３である。
【０２０３】
これにより、爪部２２２が必要以上に押し込まれて破損してしまうことが抑制される。
【０２０４】
また、治具５４０は、さらに、治具本体５４１に立設した傾斜リブ５４４を有してもよい。保持部５５０は、当該保持部５５０に傾斜リブ５４４が当接した状態で治具５４０を挟持してもよい。
【０２０５】
保持部５５０は、傾斜リブ５４４を利用して治具５４０を保持することができる。
【０２０６】
また、照明装置２は、さらに、照明ユニット１００Ａの長手方向の他方の端部に隣り合って配置された端子ユニット５００を備えてもよい。端子ユニット５００は、保持部５５０と、交流電力が投入される端子台５１０と、端子台５１０から照明ユニット１００に供給する電力のオンオフを切り替えるためのスイッチ５３０と、保持部５５０及び端子台５１０を覆うカバー５２０とを有してもよい。保持部５５０は、カバー５２０によって覆われた空間内に治具５４０を保持してもよい。
【０２０７】
このように、端子ユニット５００に治具５４０が同梱されれば、２つの照明ユニットの連結状態を解除する際に工具を準備する必要がなくなる。また、端子ユニット５００内に治具５４０が保持されることで、治具５４０の紛失が抑制される。
【０２０８】
［作用効果等４］
また、照明装置１は、図１１〜図１２に示されるようなガイド治具６００を備えてもよい。このような照明装置１は、発光素子１１２を収納し、発光素子１１２の光を透過する透光部１２１ａを有する長尺状の照明ユニット１００と、照明ユニット１００が取り付けられる取付板４００であって、長尺状の第１の板部４１０、並びに、第１の板部４１０の短手方向における照明ユニット１００の移動を規制する、第１の板部４１０に立設した第２の板部４２０及び第３の板部４３０を有する取付板４００と、取付板４００を造営材に固定する際に、取付板４００の第２の板部４２０及び第３の板部４３０の間に嵌め込まれるガイド治具６００とを備える。ガイド治具６００は、取付板４００及び他の取付板４００を造営材に直線状に並べて固定するために、取付板４００の第２の板部４２０及び他の取付板４００の第２の板部４２０に内側から接触するガイド壁６２０を有する。発光素子１１２は、光源の一例であり、第１の板部４１０は、底板の一例であり、第２の板部４２０は、第１の側壁の一例であり、第３の板部４３０は、第２の側壁の一例である。
【０２０９】
このようなガイド治具６００によれば、作業者は、２つの取付板４００を直線性が確保された状態で造営材に固定することができる。
【０２１０】
また、ガイド壁６２０は、第３の板部４３０側に凹んだ凹部６４０を有していてもよい。
【０２１１】
これにより、ガイド治具６００を取付板４００から取り外す際に、作業者は、凹部６４０によって形成されたスペースを利用してガイド治具６００を把持することができる。したがって、ガイド治具６００の取り外しが容易となる。
【０２１２】
また、ガイド治具６００は、第１の板部４１０と対向するベース部６１０であって湾曲部６３０を含むベース部６１０を有してもよい。湾曲部６３０は、ベース部６１０を第１の板部４１０側から見た場合に第１の板部４１０の長手方向に延びる溝を形成してもよい。
【０２１３】
これにより、ガイド治具６００を取付板４００に嵌め込む際に、ガイド治具６００を第１の板部４１０の短手方向にたわませることができる。したがって、ガイド治具６００の嵌め込みが容易となる。
【０２１４】
また、ガイド治具６００は、取付板４００が固定された後、取付板４００から取り外されてもよい。照明ユニット１００は、ガイド治具６００が取り外された状態の取付板４００に取り付けられてもよい。
【０２１５】
これにより、照明装置１の完成状態においてガイド治具６００用のスペースが不要であるため、照明装置１の小型化等が容易となる。
【０２１６】
（変形例）
以上、本発明について、実施の形態に基づいて説明したが、本発明は、上記実施の形態に限定されるものではない。
【０２１７】
例えば、上記実施の形態において、照明ユニット１００の内部空間を第１のハウジング領域Ａ１と第２のハウジング領域Ａ２とに分離する隔壁は、第１の側壁部１２１ｄ及び第２の側壁部１２２ａの両方を用いた２重構造であったが、これに限らない。例えば、照明ユニット１００の内部空間を第１のハウジング領域Ａ１と第２のハウジング領域Ａ２とに分離する隔壁は、第１の側壁部１２１ｄ及び第２の側壁部１２２ａのいずれか一方で構成されていてもよいし、第１の側壁部１２１ｄ及び第２の側壁部１２２ａ以外の構造で構成されていてもよい。
【０２１８】
また、上記実施の形態では、１つの筐体１２０内に１つの発光モジュール１１０を配置したが、これに限らず、１つの筐体１２０内に複数の発光モジュール１１０を配置してもよい。この場合、複数の発光モジュール１１０を発光モジュール１１０の長手方向（基板１１１の長手方向）に沿って隣接するように配置して、隣り合う２つの発光モジュール１１０を電線等によって電気的に接続すればよい。これにより、各発光モジュール１１０を中継して交流電力を順次隣りの発光モジュール１１０に送電することができる。
【０２１９】
また、上記実施の形態において、電源入線用の照明装置２と連結用の照明装置１とを連結したが、これに限らない。例えば、電源入線用の照明装置２と連結用の照明装置１とに加えて、さらに連結用の照明装置１を連結して、３つ以上の照明装置を連結してもよい。これにより、連結用の各照明装置１を中継して交流電力を順次隣りの連結用の照明装置１に送電することができる。なお、電源入線用の照明装置２を用いずに、連結用の照明装置１のみを複数連結してもよい。
【０２２０】
また、上記実施の形態において、第２の連結部２２０は、突出部２２１と爪部２２２とによって構成され、第２の被連結部３２０は、挿入孔３２１と係止穴３２２とによって構成されていたが、これに限らない。例えば、これとは逆に、第２の被連結部３２０が、照明ユニット１００の長手方向に突出する突出部と、当該突出部に設けられた爪部とによって構成され、第２の連結部２２０が、第２の被連結部３２０の突出部が挿入可能な挿入孔と、第２の被連結部３２０の爪部が係止可能な係止穴とによって構成されていてもよい。
【０２２１】
また、上記実施の形態では、第１の連結部２１０をオスコネクタとし、第１の被連結部３１０をメスコネクタとしたが、これに限らない。例えば、第１の連結部２１０をメスコネクタとし、第１の被連結部３１０をオスコネクタとしてもよい。
【０２２２】
また、上記実施の形態では、図５に示すように、照明ユニット１００の長手方向の一方の端部側（第１のエンドカバー１３０側）においては、第１のハウジング領域Ａ１（電気接続領域）における第１の連結部２１０を凸構造（オスコネクタ）とし、第２のハウジング領域Ａ２（機械接続領域）における第２の連結部２２０を凸構造（突出部２２１、爪部２２２）としたが、これに限るものではなく、凸構造及び凹構造の組み合わせは任意である。
【０２２３】
例えば、第１のハウジング領域Ａ１における第１の連結部２１０を凹構造（メスコネクタ）とし、第２のハウジング領域Ａ２における第２の連結部２２０を凸構造（突出部２２１、爪部２２２）としてもよい。また、第１のハウジング領域Ａ１における第１の連結部２１０を凸構造（オスコネクタ）とし、第２のハウジング領域Ａ２における第２の連結部２２０を凹構造（挿入孔３２１、係止穴３２２）としてもよい。また、第１のハウジング領域Ａ１における第１の連結部２１０を凹構造（メスコネクタ）とし、第２のハウジング領域Ａ２における第２の連結部２２０を凹構造（挿入孔３２１、係止穴３２２）としてもよい。
【０２２４】
なお、これらの場合、照明ユニット１００の長手方向の他方の端部側（第２のエンドカバー１４０側）における第１の被連結部３１０及び第２の被連結部３２０の凸構造及び凹構造については、第１の連結部２１０及び第２の連結部２２０の凹構造又は凸構造とは逆の構造（つまり互いに嵌合する構造）になっていればよい。例えば、第１の連結部２１０が凸構造である場合は、第１の被連結部３１０は凹構造であればよいし、第１の連結部２１０が凹構造である場合は、第１の被連結部３１０は凸構造であればよい。同様に、第２の連結部２２０が凸構造である場合は、第２の被連結部３２０は凹構造であればよいし、第２の連結部２２０が凹構造である場合は、第２の被連結部３２０は凸構造であればよい。
【０２２５】
また、上記実施の形態において、発光モジュール１１０は、発光素子１１２としてＳＭＤ型ＬＥＤ素子を用いたＳＭＤタイプであったが、これに限るものではなく、ＣＯＢタイプであってもよい。この場合、発光素子１１２としてＬＥＤチップ（ベアチップ）を用いて、基板１１１に複数のＬＥＤチップを配列し、複数のＬＥＤチップをライン状の封止部材で一括封止又は個別封止すればよい。
【０２２６】
また、上記実施の形態において、発光素子１１２は、ＬＥＤによって構成したが、これに限るものではない。例えば。発光素子１１２としては、半導体レーザ又は有機ＥＬ（Ｅｌｅｃｔｒｏ  Ｌｕｍｉｎｅｓｃｅｎｃｅ）等のその他の固体発光素子を用いてもよい。
【０２２７】
また、上記実施の形態において、回路素子１１５と発光素子１１２とを同一の基板１１１に実装したが、これに限るものではない。例えば、回路素子１１５が実装された基板と発光素子１１２が実装された基板とを別々に分けてもよい。この場合、回路素子１１５が実装された基板（回路基板）と、発光素子１１２が実装された基板（光源基板）とは、横並びで筐体１２０の底部に載置するとよい。
【０２２８】
その他、実施の形態に対して当業者が思いつく各種変形を施して得られる形態や、本発明の趣旨を逸脱しない範囲で実施の形態における構成要素及び機能を任意に組み合わせることで実現される形態も本発明に含まれる。
【０２２９】
例えば、本発明は、ガイド治具６００を用いた照明装置１（または照明装置２）の造営材への取り付け方法として実現されてもよい。
【符号の説明】
【０２３０】
１、２  照明装置
１００、１００Ａ  照明ユニット
１１２  発光素子（光源）
１２０  筐体
１３０ａ  第１のエンドカバー
１４０  第２のエンドカバー
２２０ａ  第２の連結部（連結部）
２２１、２２３  突出部
２２２  爪部
３２０  第２の被連結部
３２１  挿入孔
３２２  係止穴
【図１】
2019008868.tif 000003
【図２】
2019008868.tif 000004
【図３】
2019008868.tif 000005
【図４】
2019008868.tif 000006
【図５】
2019008868.tif 000007
【図６】
2019008868.tif 000008
【図７】
2019008868.tif 000009
【図８】
2019008868.tif 000010
【図９】
2019008868.tif 000011
【図１０】
2019008868.tif 000012
【図１１】
2019008868.tif 000013
【図１２】
2019008868.tif 000014
【図１３】
2019008868.tif 000015
【図１４】
2019008868.tif 000016
【図１５】
2019008868.tif 000017
【図１６】
2019008868.tif 000018
【図１７】
2019008868.tif 000019